(57)【要約】【課題】生活排水の温熱を利用して融雪を行なうことにより、設置費及びランニングコストの節減を図った融雪槽を提供する。【解決手段】投雪孔２を備えた融雪槽本体３に、生活排水を導入するための生活排水導入パイプ４を接続し、且つ、排水パイプ５を接続した融雪槽１を提供する。生活排水導入パイプ４は、多階建てマンションの生活排水路に接続され、生活排水路は、浴槽及び／又は台所に接続されている。更に、融雪槽１は、地上から投雪自在の地中埋設型融雪槽であり、投雪孔２はグレーチング蓋８を備えている。更に又、融雪槽１は、融雪槽本体３内の下部の水を強制排水するための排水ポンプ９を備えている。【選択図】図１
2008075291.tif 000002
【特許請求の範囲】
【請求項１】
投雪孔を備えた融雪槽本体に、生活排水を導入するための生活排水導入路を接続したことを特徴とする融雪槽。
【請求項２】
前記生活排水導入路は、多階建てマンションの生活排水路に接続されていることを特徴とする請求項１記載の融雪槽。
【請求項３】
前記生活排水導入路は、浴槽及び／又は台所に接続された生活排水路に接続されていることを特徴とする請求項１又は２記載の融雪槽。
【請求項４】
前記融雪槽は、地上から投雪自在の地中埋設型融雪槽であることを特徴とする請求項１乃至３のうちいずれか一に記載の融雪槽。
【請求項５】
前記投雪孔にグレーチング蓋を備えることを特徴とする請求項１乃至４のうちいずれか一に記載の融雪槽。
【請求項６】
前記融雪槽は、前記融雪槽本体内の下部の水を強制排水するための排水ポンプを備えていることを特徴とする請求項１乃至５のうちいずれか一に記載の融雪槽。
【請求項７】
前記融雪槽本体内に、大型冷蔵庫の排熱側と熱交換する熱交換手段に接続された配管が蛇行して配設されることを特徴とする請求項１乃至６のうちいずれか一に記載の融雪槽。
【請求項８】
前記生活排水導入路は、流路切替手段を備え、前記流路切替手段によって、前記融雪槽内に生活排水を導入自在に構成されていることを特徴とする請求項１乃至７のうちいずれか一に記載の融雪槽。
【請求項９】
前記流路切替手段は、前記生活排水導入路の分岐路と、前記生活排水導入路の前記分岐路の分岐部よりも下流の下流路との両路に夫々配設される開閉弁であることを特徴とする請求項１乃至８のうちいずれか一に記載の融雪槽。
【発明の詳細な説明】
【技術分野】
【０００１】
本発明は、生活排水の温熱を利用して融雪を行なうようにした融雪槽に関する。
【背景技術】
【０００２】
従来の融雪槽は、灯油や電気などを熱源として設置されるものが多く、設置費及びランニングコストにおいて高コストとなる問題点があった。
特許文献１も温水ボイラを利用する融雪槽の一例を示している。
【特許文献１】特開２０００−１５４５１２号公報
【発明の開示】
【発明が解決しようとする課題】
【０００３】
前述したように、従来の融雪槽は、灯油や電気などを熱源とするため、設置費及びランニングコストがかかるという問題がある。
一方、温水を含む生活排水が、その熱を有効利用されることなく、そのまま排水されており、特に、多階建てマンションの多量の生活排水は大量の熱源となる可能性があり、融雪等への有効利用が望まれている。
【０００４】
以上の現状に鑑み、本発明は、生活排水の温熱を利用して融雪を行なうことにより、設置費及びランニングコストの節減を図った融雪槽を提供することを目的とする。
【課題を解決するための手段】
【０００５】
上記の課題を解決すべく、本発明は以下の構成を提供する。
請求項１に係る発明は、投雪孔を備えた融雪槽本体に、生活排水を導入するための生活排水導入路を接続したことを特徴とする融雪槽を提供するものである。
【０００６】
請求項２に係る発明は、前記生活排水導入路は、多階建てマンションの生活排水路に接続されていることを特徴とする請求項１記載の融雪槽を提供するものである。
【０００７】
請求項３に係る発明は、前記生活排水導入路は、浴槽及び／又は台所に接続された生活排水路に接続されていることを特徴とする請求項１又は２記載の融雪槽を提供するものである。
【０００８】
請求項４に係る発明は、前記融雪槽は、地上から投雪自在の地中埋設型融雪槽であることを特徴とする請求項１乃至３のうちいずれか一に記載の融雪槽を提供するものである。
【０００９】
請求項５に係る発明は、前記投雪孔にグレーチング蓋を備えることを特徴とする請求項１乃至４のうちいずれか一に記載の融雪槽を提供するものである。
【００１０】
請求項６に係る発明は、前記融雪槽は、前記融雪槽本体内の下部の水を強制排水するための排水ポンプを備えていることを特徴とする請求項１乃至５のうちいずれか一に記載の融雪槽を提供するものである。
【００１１】
請求項７に係る発明は、前記融雪槽本体内に、大型冷蔵庫の排熱側と熱交換する熱交換手段に接続された配管が蛇行して配設されることを特徴とする請求項１乃至６のうちいずれか一に記載の融雪槽を提供するものである。
【００１２】
請求項８に係る発明は、前記生活排水導入路は、流路切替手段を備え、前記流路切替手段によって、前記融雪槽内に生活排水を導入自在に構成されていることを特徴とする請求項１乃至７のうちいずれか一に記載の融雪槽を提供するものである。
【００１３】
請求項９に係る発明は、前記流路切替手段は、前記生活排水導入路の分岐路と、前記生活排水導入路の前記分岐路の分岐部よりも下流の下流路との両路に夫々配設される開閉弁であることを特徴とする請求項１乃至８のうちいずれか一に記載の融雪槽を提供するものである。
【発明の効果】
【００１４】
本発明の請求項１記載の発明によれば、投雪孔を備えた融雪槽本体に、生活排水を導入するための生活排水導入路を接続した融雪槽を提供するので、生活排水の温熱を利用して融雪を行なうことにより、灯油や電気などを熱源を不要として、熱源の設置費及びランニングコストの節減を図った融雪槽を提供することができる。
【００１５】
請求項２記載の発明によれば、前記生活排水導入路は、多階建てマンションの生活排水路に接続されているので、請求項１記載の発明の効果に加え、多階建てマンションの多量の生活排水を融雪のための大量の熱源として利用することができる。
【００１６】
請求項３記載の発明によれば、前記生活排水導入路は、浴槽及び／又は台所に接続された生活排水路に接続されているので、請求項１又は２記載の発明の効果に加え、浴槽排水及び／又は台所排水に含まれる温水を融雪のための熱源として利用できる。
【００１７】
請求項４記載の発明によれば、前記融雪槽は、地上から投雪自在の地中埋設型融雪槽であるので、請求項１乃至３のうちいずれか一に記載の発明の効果に加え、地上から容易に投雪できると共に、地中の熱を熱源として利用することができる。
【００１８】
請求項５記載の発明によれば、前記投雪孔にグレーチング蓋を備えるので、請求項１乃至４のうちいずれか一に記載の発明の効果に加え、蓋をしたまま投雪することができ、又は、蓋が比較的軽量であるので、蓋を開けやすいという利点がある。
【００１９】
請求項６記載の発明によれば、前記融雪槽は、前記融雪槽本体内の下部の水を強制排水するための排水ポンプを備えているので、請求項１乃至５のうちいずれか一に記載の発明の効果に加え、融雪槽本体内の下部の比較的冷たい水を排出して、熱源となる生活排水の融雪槽本体内からの流出を防止することができる。又、融雪を行なわない時、融雪槽内の水を排出することができる。
【００２０】
請求項７記載の発明によれば、前記融雪槽本体内に、大型冷蔵庫の排熱側と熱交換する熱交換手段に接続された配管が蛇行して配設されるので、請求項１乃至６のうちいずれか一に記載の発明の効果に加え、大型冷蔵庫の排熱を融雪の熱源として利用することができる。
【００２１】
請求項８記載の発明によれば、前記生活排水導入路は、流路切替手段を備え、前記流路切替手段によって、前記融雪槽内に生活排水を導入自在に構成されているので、請求項１乃至７のうちいずれか一に記載の発明の効果に加え、融雪槽の融雪機能を必要としない場合、特に、夏場等に於いては、切替手段によって融雪槽内に生活排水を導入せず、融雪槽内に水道水等の水を蓄え、防火用水等として利用することが可能である。
【００２２】
請求項９記載の発明によれば、前記流路切替手段は、前記生活排水導入路の分岐路と、前記生活排水導入路の前記分岐路の分岐部よりも下流の下流路との両路に夫々配設される開閉弁であるので、請求項１乃至８のうちいずれか一に記載の発明の効果に加え、開閉弁の一方を閉じ、他方を開くことにより、生活排水導入路又は分岐路に生活排水の流れを切り替えることができる。
【発明を実施するための最良の形態】
【００２３】
以下、実施例を示した図面を参照しつつ本発明の実施の形態を説明する。
図１に於いて、１は、本発明の融雪槽であり、融雪槽１は、投雪孔２を備えた融雪槽本体３に、生活排水を導入するための生活排水導入路である生活排水導入パイプ４を接続し、且つ、排水パイプ５を接続したものである。尚、生活排水導入パイプ４の接続部は、排水パイプ５の接続部よりも高い位置に設けられる。又、投雪孔２は、融雪槽１の上方開口部をそのまま利用するものであっても良い。
【００２４】
前記生活排水は、一個建て住宅の生活排水でも良いが、好適には、多階建てマンション、特に、５階建て以上のマンションの生活排水が適しており、多階建てマンションの多量の生活排水は、融雪のための大量の熱源として利用することができる。尚、多階建てマンション以外の多階建てビル、例えば、ホテル、旅館等の排水など、温水を含む排水であれば、本発明の融雪槽１に使用して本発明の効果が期待できる。
【００２５】
又、前記生活排水は、浴槽排水及び／又は台所排水を含んでいることが好ましく、浴槽排水及び／又は台所排水に含まれる温水を融雪のための熱源として利用できる。
【００２６】
更に、前記融雪槽１は、地中埋設型融雪槽として形成され、地上から投雪できるように、投雪孔２が地表に露出するように地中６に埋設される。地中６に埋設することにより、地中６の熱を熱源として利用することができる。
【００２７】
更に又、前記融雪槽１は、上部に天板７を備え、天板７に形成された投雪孔２にグレーチング蓋８を備える。グレーチング蓋５によって、蓋をしたまま融雪槽１内に投雪することができ、又は、蓋が比較的軽量であるので、蓋を開けやすいという利点がある。
【００２８】
そして、前記融雪槽１は、融雪槽本体３内の下部の水を強制排水するための排水ポンプ９を備え、融雪槽本体３内の下部の水を排水ポンプ９に接続された配管１０を介して公共用排水溝１２に強制排水するように構成されている。これによって、融雪槽本体３内の下部の比較的冷たい水を排出して、熱源となる生活排水の融雪槽本体３からのオーバーフローによる流出を防止することができる。又、融雪を行なわない時、排水ポンプ９によって融雪槽１内の生活排水及び融雪水等を排出することも可能である。
尚、排水ポンプ９の吸入口（図示せず）には、濾過フィルター（図示せず）が配設されている。又、図に於いて、排水ポンプ９を融雪槽本体３内の下部に設置したが、その構成に代えて、排水ポンプ９を地上に設置し、排水ポンプ９が配設された配管１０の先端を融雪槽本体３内の下部に開口させても良い。
【００２９】
更に、融雪槽本体３内に、大型冷蔵庫（図示せず）の排熱側と熱交換する熱交換手段（図示せず）に接続された配管１１が蛇行状態に配設される。これにより、大型冷蔵庫の排熱を融雪の熱源として利用することができる。
【００３０】
満水状態から溢れた（オーバーフローした）融雪槽１内の水は、融雪槽１から排水パイプ５を介して公共用排水溝１２に排水される。
又、排水ポンプ９による排水も配管１０を介して公共用排水溝１２に排水される。
尚、図に於いて、１３は、融雪槽本体３底部下方に敷き詰められる砂利を示す。
【００３１】
図２は、前記融雪槽１と、多階建てマンション２１の生活排水路２２とを生活排水導入パイプ４によって接続した状態を示している。
生活排水路２２には、各階各室の浴槽２３，２３…や台所２４，２４…が接続されており、浴槽２３，２３…及び台所２４，２４…から、生活排水路２２へ温水を含む排水が排出される。
【００３２】
図３は、前記生活排水導入パイプ４に取付けた、流路切替手段としての２つの開閉弁３１，３２を示し、生活排水導入パイプ４に設けた分岐路である分岐パイプ３３に開閉弁３１を配設し、生活排水導入パイプ４の分岐パイプ３３の分岐部よりも下流の下流路である下流パイプ３４に開閉弁３２を配設する。
そして、開閉弁３１，３２の一方を閉じ、他方を開くことにより、排水流路を切替えることが可能である。
分岐パイプ３３は、公共用排水溝１２に接続されて、生活排水を公共用排水溝１２に排水する。
図に於いて、３５は融雪槽１に水道水を導入する水道管であり、３６はその開閉栓（開閉弁）である。
【００３３】
而して、次に、図１乃至図３に従って、前記融雪槽１の処理の流れを説明する。
先ず、融雪槽１の投雪孔２から雪を融雪槽本体３内に投げ入れる。その場合、グレーチング蓋８を通して雪を投げ入れても良く、グレーチング蓋８を開けて雪を投げ入れても良い。
次に、開閉弁３２を開け、開閉弁３１を閉じて、生活排水導入パイプ４の生活排水を下流パイプ３４を介して融雪槽１に導入する。これにより、融雪槽１内の雪は生活排水を熱源として融雪する。
更に、融雪槽１内の雪は大型冷蔵庫に接続された配管１１の熱を熱源として融雪すると共に、融雪槽１が埋設されている周囲の地中６の熱を熱源として融雪する。
【００３４】
満水位置を超えて溢れた（オーバーフローした）融雪槽１内の生活排水及び融雪水は、排水パイプ５を介して公共用排水溝１２に排水される。
一方、前記排水ポンプ９を駆動して、融雪槽１内の下部の比較的冷たい水を排出して、熱源となる生活排水の融雪槽１からのオーバーフローによる流出を防止する。これにより、生活排水の熱を効率良く熱源として利用できる。排水ポンプ９の駆動は、融雪槽１内が満水とならないように水位を検知して自動制御することが好ましいが、手動で行なう構成としても良い。
【００３５】
そして、融雪槽１の融雪機能を必要としない、特に夏場等は、開閉弁３１を開けて、生活排水を公共用排水溝１２に流し、開閉弁３２を閉じて、融雪槽１内への生活排水の導入を止め、一方、水道管３５の開閉栓３６を所定時間開いて水道水を融雪槽１内に蓄えれば、融雪槽１内の水は例えば防火用水として利用することができ、融雪槽１は防火用水槽としての機能を果たすことができる。尚、融雪槽１内に水道水を蓄える前に、融雪槽１内に貯留する生活排水及び融雪水等を前記排水ポンプ９で強制排水することも可能である。
【図面の簡単な説明】
【００３６】
【図１】本発明による融雪槽の正面縦断面図である。
【図２】本発明による融雪槽を多階建てマンションの生活排水路に接続した状態を示す正面縦断面図である。
【図３】本発明による融雪槽を防火用水槽として利用するための配管及び開閉弁を示した融雪槽の平面図である。
【符号の説明】
【００３７】
１  融雪槽
２  投雪孔
３  融雪槽本体
８  グレーチング蓋
９  排水ポンプ
１０，１１  配管
２１  多階建てマンション
２２  生活排水路
２３  浴槽
２４  台所
３１，３２  開閉弁
【図１】
2008075291.tif 000003
【図２】
2008075291.tif 000004
【図３】
2008075291.tif 000005